(57)【特許請求の範囲】
【請求項１】
床部、該床部が載置される水平フレーム、背部枠、側枠、回動側枠、前記水平フレームに取着されたキャスター、前記水平フレームの先端部付近に取着されたロック杆受け部材及び前記床部の枢支軸と平行になるように、前記床部に配設されたロック杆とを有し、前記水平フレームの先端部付近に取着されたロック杆受け部材の溝に、前記ロック杆を挿入することにより、前記水平フレームに載置された前記床部が、前記水平フレームに対してロックされ、また、前記ロック杆を、前記ロック杆受け部材の溝から出すことにより、前記水平フレームに対する前記床部のロックが解除されるように構成されているかご車において、前記床部は、周囲に垂下された垂直壁と該垂直壁に沿って縦横に垂下されたリブとを有しているとともに、前記リブのうち、前記背部枠と直交するリブに、該リブの長手方向に沿って横長孔を穿設し、該横長孔に、前記ロック杆を挿入することにより、前記ロック杆が、前記床部の枢支軸と平行になるように配設されており、また、前記ロック杆と、前記ロック杆に対して前記床部の枢支軸側に位置するとともに前記ロック杆に平行なリブとの間には、前記ロック杆を、前記床部の枢支軸の方に向かう方向に付勢するコイルスプリングが配設されており、前記コイルスプリングの付勢力に抗して、前記ロック杆を、前記床部の先端部方向に移動させて、前記ロック杆を、前記ロック杆受け部材の溝から出すことにより、上述したように、前記水平フレームに対する前記床部のロックが解除されるように構成されており、更に、前記背部枠を形成する支柱には、頂部と、該頂部から前記背部枠の支柱に向かって、下方に傾斜した傾斜保持面と、前記頂部から前記背部枠の支柱から遠ざかる方向に、下方に傾斜した傾斜案内面とを有するロック杆保持部材が取着されているとともに、前記床部には、前記ロック杆保持部材が挿入可能なロック杆保持部材挿入孔が穿設されており、前記床部を、水平状態から、前記背部枠方向に回動させた際には、先ず最初に、前記床部に穿設された前記ロック杆保持部材挿入孔内に、前記ロック杆保持部材が入り込むとともに、前記コイルスプリングの付勢力に抗して、前記ロック杆が、前記傾斜案内面に沿って前記頂部方向に移動し、次いで、前記頂部を乗り越えた後には、前記傾斜案内面を上昇した際に伸長された前記コイルスプリングの付勢力により、前記傾斜保持面を下り、前記床部が、前記背部枠に当接した時点においては、前記ロック杆が、前記傾斜保持面上に載置されるとともに、前記ロック杆には、前記コイルスプリングの付勢力が作用し、前記ロック杆が、前記傾斜保持面に圧接されて、前記床部が、前記コイルスプリングの付勢力により、前記背部枠に押圧されるように構成されていることを特徴とするかご車。
【請求項２】
床部、該床部が載置される水平フレーム、背部枠、側枠、回動側枠、前記水平フレームに取着されたキャスター、前記水平フレームの先端部付近に取着されたロック杆受け部材及び前記床部の枢支軸と平行になるように、前記床部に配設されたロック杆とを有し、前記水平フレームの先端部付近に取着されたロック杆受け部材の溝に、前記ロック杆を挿入することにより、前記水平フレームに載置された前記床部が、前記水平フレームに対してロックされ、また、前記ロック杆を、前記ロック杆受け部材の溝から出すことにより、前記水平フレームに対する前記床部のロックが解除されるように構成されているかご車において、前記床部は、周囲に垂下された垂直壁と該垂直壁に沿って縦横に垂下されたリブとを有しているとともに、前記リブのうち、前記背部枠と直交するリブに、該リブの長手方向に沿って横長孔を穿設し、該横長孔に、前記ロック杆を挿入することにより、前記ロック杆が、前記床部の枢支軸と平行になるように配設されておりまた、前記ロック杆と、前記ロック杆に対して前記床部の枢支軸側に位置するとともに前記ロック杆に平行なリブとの間には、前記ロック杆を、前記床部の枢支軸の方に向かう方向に付勢するコイルスプリングが配設されており、前記コイルスプリングの付勢力に抗して、前記ロック杆を、前記床部の先端部方向に移動させて、前記ロック杆を、前記ロック杆受け部材の溝から出すことにより、上述したように、前記水平フレームに対する前記床部のロックが解除されるように構成されており、更に、前記横長孔の前記床部の枢支軸と反対側に位置する端部に、該端部から、前記床部の物品載置面方向に延びる縦孔を形成することにより、前記背部枠と直交するリブには、前記横長孔と前記縦孔とからなるロック杆案内孔が形成されており、更にまた、前記背部枠を形成する支柱には、上部垂直当接面と、該上部垂直当接面の下端部から、前記背部枠方向に向かって下方に傾斜した上部傾斜面と、該上部傾斜面に連続して形成された略半円形状の端部面と、該端部面に連続して形成されているとともに、前記端部面から前記背部枠から離れる方向に向かって上方に傾斜した下部傾斜面と、該下部傾斜面の先端部から、下方に略垂直に延びる下部垂直面とを有するロック杆保持部材が取着されており、前記床部を、水平状態から、前記背部枠方向に回動させた際には、先ず最初に、前記ロック杆を、前記ロック杆保持部材の上部垂直当接面に当接させることにより、前記ロック杆を、前記床部のリブに形成された前記ロック杆案内孔の縦孔から排出させて、前記コイルスプリングの付勢力により、前記ロック杆を、前記ロック杆案内孔の横長孔に挿入させ、前記床部が、前記背部枠に当接した際には、前記ロック杆が、前記ロック杆保持部材の下部傾斜面上に載置されているとともに、前記ロック杆には、伸長された状態の前記コイルスプリングの付勢力が作用し、前記ロック杆が、前記下部傾斜面に圧接されて、前記床部が、前記コイルスプリングの付勢力により、前記背部枠に押圧されるように構成されていることを特徴とするかご車。
【発明の詳細な説明】
【０００１】
【発明の属する技術分野】
本発明は、コンビニエンスストアー、デパート、工場等において、商品や梱包品等の保管或いは運搬に使用されるキャスターを有するかご車に関するものである。
【０００２】
【従来の技術】
従来、水平フレーム、水平フレームに下端部が取着された背部枠、側枠、回動側枠、水平フレーム或いは背部枠の下端部に取着された枢支軸を中心に回動するように構成された床部及び水平フレームの底面に配設されたキャスターとからなる折り畳み可能なかご車が知られており、このようなかご車は、床部を、水平フレーム或いは背部枠の下端部に取着された枢支軸を中心に、背部枠に重なるように略垂直状態に回動させ、次いで、回動側枠を、背部枠に重なるように回動させることにより折り畳むことができるように構成されており、また、組み立てられた状態においては、床部が動かないように、床部を水平フレームにロックするように構成されている。
【０００３】
【発明が解決しようとする課題】
上述した従来のかご車においては、床部を、背部枠に重なるように略垂直状態にロックさせた状態で、かご車を移動させると、床部と背部枠との間のガタツキにより、床部と背部枠とが触れ合い、騒音を発生するという問題があった。
【０００４】
本発明の目的は、上述した従来のかご車が有する課題を解決するとともに、折り畳み、組み立て作業性の向上したかご車を提供することにある。
【０００５】
【課題を解決するための手段】
本発明は、上述した目的を達成するために、床部、該床部が載置される水平フレーム、背部枠、側枠、回動側枠、前記水平フレームに取着されたキャスター、前記水平フレームの先端部付近に取着されたロック杆受け部材及び前記床部の枢支軸と平行になるように、前記床部に配設されたロック杆とを有し、前記水平フレームの先端部付近に取着されたロック杆受け部材の溝に、前記ロック杆を挿入することにより、前記水平フレームに載置された前記床部が、前記水平フレームに対してロックされ、また、前記ロック杆を、前記ロック杆受け部材の溝から出すことにより、前記水平フレームに対する前記床部のロックが解除されるように構成されているかご車において、第１には、前記床部は、周囲に垂下された垂直壁と該垂直壁に沿って縦横に垂下されたリブとを有しているとともに、前記リブのうち、前記背部枠と直交するリブに、該リブの長手方向に沿って横長孔を穿設し、該横長孔に、前記ロック杆を挿入することにより、前記ロック杆が、前記床部の枢支軸と平行になるように配設されており、また、前記ロック杆と、前記ロック杆に対して前記床部の枢支軸側に位置するとともに前記ロック杆に平行なリブとの間には、前記ロック杆を、前記床部の枢支軸の方に向かう方向に付勢するコイルスプリングが配設されており、前記コイルスプリングの付勢力に抗して、前記ロック杆を、前記床部の先端部方向に移動させて、前記ロック杆を、前記ロック杆受け部材の溝から出すことにより、上述したように、前記水平フレームに対する前記床部のロックが解除されるように構成されており、更に、前記背部枠を形成する支柱には、頂部と、該頂部から前記背部枠の支柱に向かって、下方に傾斜した傾斜保持面と、前記頂部から前記背部枠の支柱から遠ざかる方向に、下方に傾斜した傾斜案内面とを有するロック杆保持部材が取着されているとともに、前記床部には、前記ロック杆保持部材が挿入可能なロック杆保持部材挿入孔が穿設されており、前記床部を、水平状態から、前記背部枠方向に回動させた際には、先ず最初に、前記床部に穿設された前記ロック杆保持部材挿入孔内に、前記ロック杆保持部材が入り込むとともに、前記コイルスプリングの付勢力に抗して、前記ロック杆が、前記傾斜案内面に沿って前記頂部方向に移動し、次いで、前記頂部を乗り越えた後には、前記傾斜案内面を上昇した際に伸長された前記コイルスプリングの付勢力により、前記傾斜保持面を下り、前記床部が、前記背部枠に当接した時点においては、前記ロック杆が、前記傾斜保持面上に載置されるとともに、前記ロック杆には、前記コイルスプリングの付勢力が作用し、前記ロック杆が、前記傾斜保持面に圧接されて、前記床部が、前記コイルスプリングの付勢力により、前記背部枠に押圧されるように構成したものであり、第２には、前記床部は、周囲に垂下された垂直壁と該垂直壁に沿って縦横に垂下されたリブとを有しているとともに、前記リブのうち、前記背部枠と直交するリブに、該リブの長手方向に沿って横長孔を穿設し、該横長孔に、前記ロック杆を挿入することにより、前記ロック杆が、前記床部の枢支軸と平行になるように配設されておりまた、前記ロック杆と、前記ロック杆に対して前記床部の枢支軸側に位置するとともに前記ロック杆に平行なリブとの間には、前記ロック杆を、前記床部の枢支軸の方に向かう方向に付勢するコイルスプリングが配設されており、前記コイルスプリングの付勢力に抗して、前記ロック杆を、前記床部の先端部方向に移動させて、前記ロック杆を、前記ロック杆受け部材の溝から出すことにより、上述したように、前記水平フレームに対する前記床部のロックが解除されるように構成されており、更に、前記横長孔の前記床部の枢支軸と反対側に位置する端部に、該端部から、前記床部の物品載置面方向に延びる縦孔を形成することにより、前記背部枠と直交するリブには、前記横長孔と前記縦孔とからなるロック杆案内孔が形成されており、更にまた、前記背部枠を形成する支柱には、上部垂直当接面と、該上部垂直当接面の下端部から、前記背部枠方向に向かって下方に傾斜した上部傾斜面と、該上部傾斜面に連続して形成された略半円形状の端部面と、該端部面に連続して形成されているとともに、前記端部面から前記背部枠から離れる方向に向かって上方に傾斜した下部傾斜面と、該下部傾斜面の先端部から、下方に略垂直に延びる下部垂直面とを有するロック杆保持部材が取着されており、前記床部を、水平状態から、前記背部枠方向に回動させた際には、先ず最初に、前記ロック杆を、前記ロック杆保持部材の上部垂直当接面に当接させることにより、前記ロック杆を、前記床部のリブに形成された前記ロック杆案内孔の縦孔から排出させて、前記コイルスプリングの付勢力により、前記ロック杆を、前記ロック杆案内孔の横長孔に挿入させ、前記床部が、前記背部枠に当接した際には、前記ロック杆が、前記ロック杆保持部材の下部傾斜面上に載置されているとともに、前記ロック杆には、伸長された状態の前記コイルスプリングの付勢力が作用し、前記ロック杆が、前記下部傾斜面に圧接されて、前記床部が、前記コイルスプリングの付勢力により、前記背部枠に押圧されるように構成したものである。
【０００６】
【実施例】
以下に、本発明の実施例について説明するが，本発明の趣旨を越えない限り何ら、本実施例に限定されるものではない。
【０００７】
本発明のかご車は、垂直断面形状が略Ｌ字状の型材で形成された、平面形状が略コの字状の水平フレーム１、下部が水平フレーム１に固着された背部枠２、下部が水平フレーム１に固着されるとともに、背部枠２の一端に配置された支柱２ａに、適当数の連結具３により連結された側枠４、背部枠２の他端に配置された支柱２ｂに、適当数のヒンジ５によりヒンジ結合された回動側枠６、背部枠２側の水平フレーム１に取着された枢支軸に回動可能に枢支された床部７及び水平フレーム１に取着されたキャスター８とから構成されており、図１に示されている組み立てられた状態から、水平状態の床部７を、背部枠２側の水平フレーム１に取着された枢支軸を中心に、背部枠２に重なるように略垂直状態に回動させ、次いで、ヒンジ５により回動側枠６を、回動側枠６が、略垂直状態に回動させた床部７を挟んで、背部枠２に重なるように回動させることにより、折り畳むことができるように構成されている。なお、背部枠２、側枠４及び回動側枠６は、一例として、図１に示されているように、逆Ｕ字状に形成されたパイプ等の枠材２ｃ、４ａ、６ａに、縦横に、適当な間隔でパイプ等の棒体２ｄ、４ｂ、６ｂを接合することにより形成されている。
【０００８】
次に、図２〜図４を用いて、水平フレーム１に載置された状態の床部７を、水平フレーム１に対して動かないように固定するためのロック部材の１実施例について説明する。
【０００９】
略平面形状が方形状の床部７は、周囲から垂下された垂直壁７ａ及び床部７の裏面から垂直壁７ａに沿って縦横に垂下されたリブ７ｂを有している。該リブ７ｂの背部枠２と直交するリブ７ｂで、且つ、床部７の枢支軸と反対側に位置する垂直壁７ａ付近に位置するリブ７ｂには、それぞれ、横長孔７ｃが穿設されており、横長孔７ｃには、棒状のロック杆ｃ１が挿入されている。この実施例においては、ロック杆ｃ１は、床部７の周囲に垂下された垂直壁７ａから出ないように構成されている。このように、ロック杆ｃ１を、床部７の周囲に垂下された垂直壁７ａから出ないように構成することにより、床部７の回動作業の際に、ロック杆ｃ１が作業者や側枠にぶつかり、床部７の回動作業性が低下するようなことが防止できる。
【００１０】
ロック杆ｃ１に対して床部７の枢支軸側に位置する床部７或いはリブ７ｂには、コイルスプリングｃ２の一方のフックｃ２’を引っ掛ける係止部材ｃ３が形成されており、また、コイルスプリングｃ２のもう一方のフックｃ２”は、ロック杆ｃ１に係止されている。コイルスプリングｃ２により、ロック杆ｃ１は、床部７の枢支軸方向に付勢されるように構成されている。このような、コイルスプリングｃ２は、ロック杆ｃ１の両端部付近に張設されており、必要に応じて、更に、ロック杆ｃ１の中央部付近等にも張設することもできる。なお、コイルスプリングｃ２に限定されることなく、ロック杆ｃ１を、床部７の枢支軸方向に付勢するものであるば、種々のバネ部材を使用することができる。
【００１１】
ｃ４は、水平フレーム１の両先端部１ａ付近の水平面１ｂ上に取着されたロック杆受け部材である。ロック杆受け部材ｃ４は、ロック杆ｃ１の軸線方向から見た場合の側面が、略コの字形状をしており、水平フレーム１の先端部１ａ側が開口した溝ｃ４’が形成されている。また、ロック杆受け部材ｃ４の上部には、先端に向かうに従って下方に傾斜した傾斜案内部ｃ４”が形成さている。
【００１２】
床部７を、垂直位置から、背部枠２側の水平フレーム１に取着された枢支軸を中心に、水平フレーム１に載置されるように回動した際には、コイルスプリングｃ２により、床部７の枢支軸方向に付勢されているロック杆ｃ１が、ロック杆受け部材ｃ４の上部に形成された傾斜案内部ｃ４”に当接し、傾斜案内部ｃ４”に沿って、且つ、コイルスプリングｃ２の付勢力に抗して、ロック杆受け部材ｃ４の溝ｃ４’の開口側に移動し、更なる床部７の水平方向への回動により、ロック杆ｃ１は、ロック杆受け部材ｃ４の傾斜案内部ｃ４”から溝ｃ４’の開口に向かい、溝ｃ４’の開口に入った時点で、コイルスプリングｃ２の付勢力により、溝ｃ４’に挿入されることになる。このようにして、水平フレーム１に載置された床部７が、水平フレーム１に対してロックされるように構成されている。
【００１３】
また、床部７の下に手を入れて、ロック杆ｃ１を、コイルスプリングｃ２の付勢力に抗して、床部７の先端部方向に引いて、ロック杆受け部材ｃ４の溝ｃ４’に挿入されているロック杆ｃ１を、溝ｃ４’から出すとともに、床部７を、枢支軸を中心に、上方に回動させることにより、水平フレーム１にロックされた床部７のロックを解除することができる。
【００１４】
次に、主として、図４及び図５を用いて、床部７を、背部枠２に対してロックするためのロック杆保持部材Ｈ１について説明するが、ロック杆保持部材Ｈ１は、背部枠２を形成する２本の支柱２ａ、２ｂに、それぞれ、取着されているが、以下に、おいては、一方の支柱２ａに取着されているロック杆保持部材Ｈ１についてのみ説明する。
【００１５】
ロック杆保持部材Ｈ１は、頂部ｈ１から、背部枠２の支柱２ａに向かって、下方に傾斜した傾斜保持面ｈ２と、頂部ｈ１から、背部枠２の支柱２ａから遠ざかる方向に、下方に傾斜した傾斜案内面ｈ３とを有する、ロック杆ｃ１の軸線方向から見た側面形状が、山形に形成されている。また、床部７を、背部枠２に重なるように、略垂直に回動させた際に、ロック杆ｃ１の両端部付近の上方に位置する床部７には、背部枠２に取着されたロック杆保持部材Ｈ１が挿入可能なロック杆保持部材挿入孔７ｄが穿設されている。
【００１６】
床部７を、背部枠２に対してロックさせるために、床部７を、水平状態から、背部枠２方向に回動させると、先ず最初に、床部７に穿設されたロック杆保持部材挿入孔７ｄ内に、ロック杆保持部材Ｈ１が入り込み、次いで、床部７に配設されたロック杆ｃ１の端部が、背部枠２の支柱２ａに取着されたロック杆保持部材Ｈ１の傾斜案内面ｈ３に当接する。この状態から、更に、床部７を、背部枠２方向に回動させると、コイルスプリングｃ２の付勢力に抗して、ロック杆ｃ１は、傾斜案内面ｈ３に沿って頂部ｈ１方向に移動し、次いで、頂部ｈ１を乗り越えた後は、傾斜案内面ｈ３を上昇した際に伸長されたコイルスプリングｃ２の付勢力により、傾斜保持面ｈ２を下り、床部７が、背部枠２に当接した時点では、ロック杆ｃ１は、傾斜保持面ｈ２上に載置されており、ロック杆ｃ１には、コイルスプリングｃ２の付勢力が作用しており、ロック杆ｃ１は、傾斜保持面ｈ２に圧接されるように構成されている。このように、傾斜保持面ｈ２上に載置されたロック杆ｃ１に、コイルスプリングｃ２の付勢力を作用させることにより、背部枠２に当接している床部７には、背部枠２を押圧する押圧力が作用することになるので、床部７を、背部枠２に重なるように略垂直状態にロックさせた状態で、かご車を移動させても、床部７と背部枠２との間にはガタツキが発生することがないので、床部７と背部枠２とが触れ合いによる騒音の発生がなくなる。
【００１７】
また、床部７が、背部枠２にロックされている状態から、このロックを解除する場合には、床部７を、背部枠２から離れる方向に回動させると、ロック杆ｃ１は、コイルスプリングｃ２の付勢力に抗して、傾斜保持面ｈ２に沿って、頂部ｈ１方向に移動し、頂部ｈ１を乗り越えることができる。
【００１８】
上述したように、傾斜保持面ｈ２上に載置されたロック杆ｃ１に、コイルスプリングｃ２の付勢力を作用させることにより、床部７に、背部枠２を押圧する押圧力を作用させるようにしたので、床部７と背部枠２との間にはガタツキが発生することがなく、従って、床部７と背部枠２とが触れ合いによる騒音の発生がなくなる。また、作業者が、ロック杆ｃ１を操作することなく、単に、床部７を、背部枠２方向に回動させるだけで、床部７を、背部枠２にロックすることができるとともに、床部７を、背部枠２から離れる方向に回動させるだけで、床部７の背部枠２に対するロックを解除することができるので、かご車の折り畳み、組み立て作業の作業性が向上することになる。
【００１９】
次に、図６〜図１１を用いて、本発明の別の実施例について説明する。
【００２０】
この実施例においては、ロック杆ｃ１の両端部は、床部７の周囲に垂下された垂直壁７ａから、床部７を超えて突出しており、また、ロック杆ｃ１は、上述した横長孔７ｃに沿って、床部７の物品載置面７’に略平行に移動するとともに、物品載置面７’方向にも移動するように構成されているので、上述したリブ７ｂには、横長孔７ｃに加え、横長孔７ｃの床部７の枢支軸と反対側に位置する端部から、物品載置面７’方向に延びる縦孔７ｃ”が形成されており、ロック杆ｃ１の軸線方向から見た孔の形状は、略Ｌ字状に形成されている。以下、床部７の物品載置面７’に略平行な横長孔の図面番号を７ｃ’とし、該横長孔７ｃ’と物品載置面７’方向に延びる縦孔７ｃ”とから構成される孔を、ロック杆案内孔と称し、図面番号７ｃを使用する。また、上記のように、ロック杆ｃ１の両端部は、床部７の周囲に垂下された垂直壁７ａから、床部７を超えて突出するように構成されているので、床部７の周囲に垂下された垂直壁７ａにも、同様のロック杆案内孔７ｃが穿設されている。
【００２１】
また、背部枠２の支柱２ａ、２ｂに取着された、上述したロック杆保持部材Ｈ１に代えて、本実施例においては、以下に説明するようなロック杆保持部材Ｈ２が背部枠２の支柱２ａ、２ｂに取着されている。
【００２２】
この実施例においては、ロック杆保持部材Ｈ２は、略方形状の板材により形成されており、該板材の背部枠２から遠い方の上部角部から、背部枠２方向に向かって、下方に傾斜した傾斜凹部ｈ４が形成されている。また、傾斜凹部ｈ４の上方には、略垂直な垂直当接面ｈ５が形成されている。ロック杆保持部材Ｈ２は、上部垂直当接面ｈ５と、垂直当接面ｈ５の下端部から、背部枠２方向に向かって、下方に傾斜した上部傾斜面ｈ６と、該上部傾斜面ｈ６に連続して形成された略半円形状の端部面ｈ７と、該端部面ｈ７に連続して形成されるとともに、端部面ｈ７から、背部枠２から離れる方向に上方に傾斜した下部傾斜面ｈ８と、下部傾斜面ｈ８の先端部から、下方に、略垂直に延びる下部垂直面ｈ９とを有しており、上部傾斜面ｈ６と端部面ｈ７と下部傾斜面ｈ８とにより、傾斜凹部ｈ４が形成されている。
【００２３】
上述したように、水平フレーム１に載置された床部７が、水平フレーム１に対してロックされた状態から、床部７を、背部枠２方向に回動させるためには、床部７の下に手を入れて、ロック杆ｃ１を、コイルスプリングｃ２の付勢力に抗して、床部７の先端部方向に引いて、ロック杆受け部材ｃ４の溝ｃ４’に挿入されているロック杆ｃ１を、溝ｃ４’から出すとともに、図６に示されているように、ロック杆ｃ１を、ロック杆案内孔７ｃの縦孔７ｃ”に沿って持ち上げて、ロック杆ｃ１を、縦孔７ｃ”に挿入する。すると、ロック杆ｃ１は、コイルスプリングｃ２により、背部枠２方向に付勢されているので、作業者が、ロック杆ｃ１から、手を離しても、図７に示されているように、ロック杆ｃ１は、ロック杆案内孔７ｃの縦孔７ｃ”に挿入されている状態を維持することになる。
【００２４】
次いで、床部７を、背部枠２方向に回動させると、図１０に示されているように、ロック杆ｃ１は、最初に、ロック杆保持部材Ｈ２の略垂直な垂直当接面ｈ５に当接する。この状態から、更に、床部７を、背部枠２方向に回動させると、ロック杆ｃ１は、ロック杆保持部材Ｈ２の垂直当接面ｈ５に押されて、ロック杆案内孔７ｃの縦孔７ｃ”から排出されるとともに、コイルスプリングｃ２の付勢力により、ロック杆案内孔７ｃの横長孔７ｃ’に導入されるが、床部７は、背部枠２方向への回動を続行しているので、ロック杆ｃ１は、図１１に示されているように、横長孔７ｃ’に挿入されると同時に、ロック杆保持部材Ｈ２の下部傾斜面ｈ８上に載置される。そして、ロック杆ｃ１が、ロック杆保持部材Ｈ２の下部傾斜面ｈ８上に載置されている状態で、床部７が、背部枠２に当接するように構成されている。ロック杆ｃ１が、ロック杆保持部材Ｈ２の下部傾斜面ｈ８上に載置されている状態では、ロック杆ｃ１には、伸長された状態のコイルスプリングｃ２の付勢力が作用しており、ロック杆ｃ１は、ロック杆保持部材Ｈ２の下部傾斜面ｈ８に圧接されている。上述した実施例と同様に、下部傾斜面ｈ８上に載置されたロック杆ｃ１に、伸長されたコイルスプリングｃ２の付勢力を作用させることにより、背部枠２に当接している床部７には、背部枠２を押圧する押圧力が作用することになるので、床部７を、背部枠２に重なるように略垂直状態にロックさせた状態で、かご車を移動させても、床部７と背部枠２との間にはガタツキが発生することがないので、床部７と背部枠２とが触れ合いによる騒音の発生がなくなる。
【００２５】
なお、本実施例においては、床部７が、背部枠２方向に回動した際に、ロック杆保持部材Ｈ２が、床部７に干渉するようなことがないので、上述した実施例のように、床部７に、背部枠２に取着されたロック杆保持部材Ｈ１が挿入可能なロック杆保持部材挿入孔７ｄを形成する必要はないが、このような挿入孔７ｄを形成することにより、この挿入孔７ｄを通して、ロック杆ｃ１が、ロック杆受け部材ｃ４の溝ｃ４’に挿入されているかどうかを確認することができるという効果がある。当然のことながら、ロック杆保持部材挿入孔７ｄもこの効果を奏することができる。
【００２６】
【発明の効果】
本発明は、以上説明したように構成されているので、以下に記載の効果を奏するものである。
【００２７】
床部に、背部枠を押圧する押圧力を作用させるようにしたので、床部と背部枠との間にはガタツキが発生することがなく、従って、床部と背部枠とが触れ合いによる騒音の発生がなくなる。
【００２８】
ロック杆受け部材の溝から排出されたロック杆を、ロック杆案内孔の縦孔に挿入するようにしたので、作業者が、ロック杆から手を離しても、ロック杆は、ロック杆案内孔の縦孔に挿入されている状態を維持しているので、床部の背部枠方向への回動作業が容易になるとともに、ロック杆は、ロック杆保持部材の垂直当接面により、ロック杆案内孔の縦孔から排出され、下部傾斜面に自動的に載置されるので、床部の背部枠へのロック作業が容易になる。
【図面の簡単な説明】
【図１】図１は本発明のかご車の全体斜視図である。
【図２】図２は本発明のかご車の部分斜視図である。
【図３】図３は本発明のかご車を上方から見た状態の部分斜視図である。
【図４】図４は本発明のかご車を構成する床部が背部枠にロックされた状態を示す部分斜視図である。
【図５】図５は本発明のかご車の床部が背部枠にロックされる過程を説明するための一部断面を含む側面図である。
【図６】図６は本発明のかご車の他の実施例のロック杆受け部材付近の側枠に沿った垂直断面図である。
【図７】図７は同じく本発明のかご車の他の実施例のロック杆受け部材付近の側枠に沿った垂直断面図である。
【図８】図８は本発明のかご車の他の実施例を上方から見た状態の部分斜視図である。
【図９】図９は本発明のかご車の他の実施例を構成する床部が背部枠にロックされた状態を示す部分斜視図である。
【図１０】図１０は本発明のかご車の他の実施例の床部が背部枠にロックされる過程を説明するための一部断面を含む側面図である。
【図１１】図１１は図１０と同様の本発明のかご車の他の実施例の床部が背部枠にロックされる過程を説明するための一部断面を含む側面図である。
【符号の説明】
Ｈ１、Ｈ２・・・ロック杆保持部材
ｃ１・・・・・・ロック杆
ｃ２・・・・・・コイルスプリング
ｃ４・・・・・・ロック杆受け部材
１・・・・・・・水平フレーム
２・・・・・・・背部枠
４・・・・・・・側枠
７・・・・・・・床部
【図１】
0004294801.tif 000002
【図２】
0004294801.tif 000003
【図３】
0004294801.tif 000004
【図４】
0004294801.tif 000005
【図５】
0004294801.tif 000006
【図６】
0004294801.tif 000007
【図７】
0004294801.tif 000008
【図８】
0004294801.tif 000009
【図９】
0004294801.tif 000010
【図１０】
0004294801.tif 000011
【図１１】
0004294801.tif 000012